(57)【要約】【課題】  観賞形態や育成形態の多様化を複合させる複合多段植木鉢を提供する。【解決手段】  上側へ順次積み上げて相互に着脱可能に嵌め合わされることにより複数の階層を形成する複数の植木鉢は、いずれも上部に開口を有する筒状の容器形態をなし、底部４から上側の空間に土壌等の育成媒体Ｗが収容され、上に位置する植木鉢の被嵌合部７を着脱可能に嵌め入れる嵌合部６が上側開口部３に形成され、各植木鉢の上部に、開口する複数の開口部８０を備え、積み上げられた状態で開口部８０から植物が外方へ露出又は延び出すことを許容することを特徴とする。【選択図】  図１
2012005386.tif 000002
【特許請求の範囲】
【請求項１】
上側へ順次積み上げて相互に着脱可能に嵌め合わされることにより複数の階層を形成する複数の植木鉢を備え、
それら複数の植木鉢は、いずれも上部に開口を有する筒状の容器形態をなし、底部から上側の空間に土壌等の育成媒体が収容され、上に位置する植木鉢の被嵌合部を着脱可能に嵌め入れる嵌合部が上側開口部に形成され、かつ、各植木鉢は、前記育成媒体に植えられた植物が外方へ露出又は延び出すことを許容する開口部を有することを特徴とする複合多段植木鉢。
【請求項２】
前記開口部は、各植木鉢の上部における前記育成媒体を漏洩させない高さ位置において側方へ開口する複数の上部側方開口部を含むことを特徴とする請求項１に記載の複合多段植木鉢。
【請求項３】
前記複数の植木鉢の上下間のうち少なくとも一つの上下間には、上下の植木鉢を着脱可能に接続するジョイント部材が介装され、該ジョイント部材から下側の植木鉢に給水が可能であることを特徴とする請求項１または２に記載の複合多段植木鉢。
【請求項４】
前記複数の植木鉢はいずれも、互いに直径が同一又は近似した有底円筒形状の容器形態をなし、前記積み上げられ相互に嵌合された状態で、上下相互の円周方向における位相が変更可能とされ、それによって各植木鉢の前記複数の開口部又は上部側方開口部の相対的な位置関係が変更できるようにされたことを特徴とする請求項１に記載の複合多段植木鉢。
【請求項５】
前記上部側方開口部の開口縁には、この開口の大きさを変換させるアダプタが着脱可能に設けられることを特徴とする請求項１又は２に記載の複合多段植木鉢。
【請求項６】
前記複数の植木鉢が積み上げられ、前記嵌合部と前記被嵌合部が相互に嵌合された状態で、上下の植木鉢が相互に接する個所に低摩擦となる摺動部位を備えさせることにより前記円周方向の前記位相が変更可能とされることを特徴とする請求項２又は３に記載の複合多段植木鉢。
【請求項７】
前記上部側方開口部は、当該植木鉢を持って動かす際に、少なくとも取扱者の手の指で摘んで持てるのに十分な大きさで開口されることを特徴とする請求項１ないし４のいずれか１項に記載の複合多段植木鉢。
【発明の詳細な説明】
【技術分野】
【０００１】
本発明は、植物の観賞形態や育成形態の多様化を図ることを可能にした複合多段植木鉢に関する。
【背景技術】
【０００２】
従来、植木や草花などの植物を植え込んで観賞のために使用される植木鉢は、陶器、プラスチックなどによって成形され、上端開口部が底部より広がった有底容器状のものが一般的に使用され、このため植木鉢に植物を植えた状態で、多数並べて観賞するには平面的に並べるか、階段状の植木鉢スタンドに載せたりするものが知られている（特許文献１参照）。
【先行技術文献】
【特許文献】
【０００３】
【特許文献１】実公平２−１０９２１号公報
【発明の概要】
【発明が解決しようとする課題】
【０００４】
しかし、このような植木鉢の立体的配置手段は、広い設置スペースを必要とし、設置場所が制約されたり、単にスタンドに植木鉢を載せる形態であるため、観賞形態も単純なものに限られてしまっている。
【０００５】
本発明は上記した現状に鑑みてなされたものであり、観賞形態や育成形態の多様化を複合させるようにする複合多段植木鉢を提供することにある。
【課題を解決するための手段】
【０００６】
上記課題を解決するために、本発明の複合多段植木鉢は、上側へ順次積み上げて相互に着脱可能に嵌め合わされることにより複数の階層を形成する複数の植木鉢を備え、それら複数の植木鉢は、いずれも上部に開口を有する筒状の容器形態をなし、底部から上側の空間に土壌等の育成媒体が収容され、上に位置する植木鉢の被嵌合部を着脱可能に嵌め入れる嵌合部が上側開口部に形成され、かつ、各植木鉢は、前記育成媒体に植えられた植物が外方へ露出又は延び出すことを許容する開口部を有することを特徴とする。
【０００７】
上記構成とすることで、複数の植木鉢が積み上がって組み立てられることにより立体的な鉢植え花飾りに仕上げることができる。また、複数の開口部から植物が外方へ露出又は延び出すことを許容しているため、単植、群植、混植など極めて変化に富んだ多彩な栽培ができ、造形的かつ個性的に仕上げられ、見ごたえある立体鉢植えにすることができる。
【０００８】
また、上記課題を解決するために、本発明の複合多段植木鉢における前記開口部は、各植木鉢の上部における前記育成媒体を漏洩させない高さ位置において側方へ開口する複数の上部側方開口部を含むことを特徴とすることにより、複数の上部側方開口部から植物が外方へ露出又は延び出すことを許容しているため、単植、群植、混植など極めて変化に富んだ多彩な栽培ができ、造形的かつ個性的に仕上げられ、見ごたえある立体鉢植えにすることができる。
【０００９】
また、上記課題を解決するために、本発明の複合多段植木鉢における複数の植木鉢の上下間のうち少なくとも一つの上下間には、上下の植木鉢を着脱可能に接続するジョイント部材が介装され、該ジョイント部材から下側の植木鉢に給水が可能であることを特徴とすることにより、複合多段植木鉢の段数が増加してもジョイント部材を有するため、給水を確実に行うことができ、しかも、ジョイント部材が複合多段植木鉢としてのアクセント部材となり、そのデザイン性を向上させることができる。
【００１０】
また、上記課題を解決するために、本発明の複合多段植木鉢において、前記複数の植木鉢はいずれも、互いに直径が同一又は近似した有底円筒形状の容器形態をなし、前記積み上げられ相互に嵌合された状態で、上下相互の円周方向における位相が変更可能とされ、それによって各植木鉢の前記複数の開口部又は上部側方開口部の相対的な位置関係が変更できるようにされたことを特徴とすることにより、上下の位相に変化を持たせることができ、さらに変化に富んだ栽培ができ、造形的かつ個性的に仕上げられ、見ごたえある立体鉢植えにすることができる。
【００１１】
上記課題を解決するために、本発明の複合多段植木鉢は、前記上部側方開口部の開口縁には、この開口の大きさを変換させるアダプタが着脱可能に設けられることを特徴とすることにより開口の大きさを任意に変えることができる。このため植物の種類によって、その植物に適した大きさの開口にできることにより装飾形態の多様化に有益となる。
【００１２】
上記課題を解決するために、本発明の複合多段植木鉢は、前記複数の植木鉢が積み上げられ、前記嵌合部と前記被嵌合部が相互に嵌合された状態で、上下の植木鉢が相互に接する個所に低摩擦となる摺動部位を備えさせることにより前記円周方向の前記位相が変更可能とされることを特徴とすることにより、植木鉢の材質や、植物、育成媒体を含む植木鉢の重さによる影響も少なく、円周方向への位相変更のための操作力も小さくなりスムーズに動かすことができる。
【００１３】
上記課題を解決するために、本発明の複合多段植木鉢は、前記上部側方開口部は、当該植木鉢を持って動かす際に、少なくとも取扱者の手の指で摘んで持てるのに十分な大きさで開口されることを特徴とすることにより、植木鉢は手軽に移動できるので、造形的かつ個性的な仕上げ作業に最適である。
【図面の簡単な説明】
【００１４】
【図１】本発明に係る複合多段植木鉢の構成を示す図。
【図２】円周方向の位相が変更された状態の複合多段植木鉢を示す図。
【図３】ジョイント部材を介装した複合多段植木鉢の構成を示す図。
【図４】複合多段植木鉢を使用した各種の観賞形態を示す図。
【図５】複合多段植木鉢を構成する植木鉢の断面を示す図。
【図６】嵌合部と被嵌合部との嵌合状態を示す部分断面を示す図。
【図７】ジョイント部材の断面を示す図。
【図８】上部側方開口部を有する植木鉢本体を示す図。
【図９】上部側方開口部の他の例を示す図。
【図１０】上部側方開口部にアダプタ装着する植木鉢を示す図。
【図１１】アダプタの他の例を示す図。
【図１２】アダプタの他の例を示す図。
【図１３】アダプタの他の例を示す図。
【図１４】摺動部位の細部を示す図。
【図１５】嵌合部と被嵌合部の他の例を示す図。
【図１６】植木鉢本体の底部の他の例を示す図。
【図１７】植木鉢本体を四角筒状とした複合多段植木鉢を示す図。
【図１８】植木鉢本体を六角筒状とした複合多段植木鉢を示す図。
【図１９】植木鉢本体を四角筒状とした他の例を示す図。
【図２０】植木鉢本体を六角筒状とした他の例を示す図。
【図２１】他の例の上部側方開口部を有する植木鉢本体を示す図。
【図２２】他の複合多段植木鉢の構成を示す図。
【図２３】他の複合多段植木鉢の構成を示す図。
【図２４】他の複合多段植木鉢の構成を示す図。
【００１５】
以下、本発明の実施の形態につき図面に示す実施例を参照して説明する。図１は本発明に係る複合多段植木鉢の構成を示す図である。図２は円周方向の位相が変更された状態の複合多段植木鉢を示す図である。図１、図２において、複合多段植木鉢１は、上側へ順次積み上げて複数の階層を形成する第１の植木鉢１ａから第Ｎ（Ｎは２以上の整数）の植木鉢１ｎを複数備えている。また、この複合多段植木鉢１は、第１の植木鉢１ａを回転可能となした載置台２を使用して積み上げたり、この載置台２を使用せずに積み上げることが可能である。このように載置台２が回転可能であれば、植物Ｓを太陽に向けたり、植物Ｓの観賞面の位置をかえることができ、多様な楽しみかたを可能にする。また、第１の植木鉢１ａと載置台２と間に、水受皿２ａを介装することにより、室内に複合多段植木鉢１を置くことができるようになる。
【００１６】
また、図３に示すように、複数の植木鉢の上下間のうち少なくとも一つ以上の上下間には、上下の植木鉢を着脱可能に接続するジョイント部材２０が介装されるようにしてもよい。該ジョイント部材２０から下側の植木鉢に対して給水可能としている。このため後述する複数の植木鉢の排水孔４ａと同様に、下側の植木鉢に対して供給する水が分散して下方へ流れる落ちるための複数の分散排水孔２０ｃを備えている。
【００１７】
それらの第１の植木鉢１ａから第Ｎの植木鉢１ｎの各々は、図１〜図６に示すように、いずれも上部が開口する上側開口部３を有する筒状の容器形態をなし、一例として互いに直径が同一又は近似した有底円筒形状に、陶器、プラスチックなどによって形成される植木鉢本体１０を基にして構成される。かかる有底円筒形状の植木鉢本体１０の底部４から上側の内側における空間５に、植物Ｓを植え込むための土壌、培養土などの育成媒体Ｗが収容される。なお、底部４には、この育成媒体Ｗに植え込みされる植物Ｓに与える水の過剰分を排水するための排水孔４ａが設けられており、排水させた水は順次下の植木鉢に給水されることとなる。なお、ジョイント部材２０も同様に陶器、プラスチックなどによって筒状に形成され、その側壁２０ａには、必要に応じて適宜数の給水口２０ｂが形成される。
【００１８】
また、それらの第１の植木鉢１ａから第Ｎの植木鉢１ｎ、及びジョイント部材２０は、相互に着脱可能に嵌め合わされることにより積み上げられる。具体的には、図５に示すように、植木鉢本体１０の上側開口部３側には、嵌合部６が形成されるとともに、植木鉢本体１０の底部４側には、上側開口部３の嵌合部６に着脱可能に嵌め入れる被嵌合部７が形成される。
【００１９】
この嵌合部６と被嵌合部７の一例としては、図６に示すように、植木鉢本体１０の上側開口部３の上端面３ａと、該上端面３ａ近傍の内壁面３ｂとを嵌合部６とする場合、かかる内壁面３ａに遊嵌状（若干の隙間を有する）に嵌り込ませるように、植木鉢本体１０の底部４には、下方に突出形成される円環状の突条４ｂが設けられて被嵌合部７とされる。また、ジョイント部材２０についても図７に示すように、嵌合部１６と被嵌合部１７とが設けられ、上側開口部１３の上端面１３ａと、該上端面１３ａ近傍の内壁面１３ｂとを嵌合部１６とする場合、かかる内壁面１３ａに遊嵌状（若干の隙間を有する）に嵌り込ませるように、底部１４には、下方に突出形成される円環状の突条１４ｂが設けられて被嵌合部１７とされる。
【００２０】
このように構成される嵌合部６と被嵌合部７によって、上に位置する植木鉢本体１０の被嵌合部７を着脱可能に嵌め入れる嵌合部６が備わることとなり、かかる嵌合部６と被嵌合部７との嵌合によって横方向の位置ズレが規制される。なお、この例では下の植木鉢本体１０の上端面３ａと、上の植木鉢本体１０の突条４ｂの外側における底部４とが接する状態となる。なお、ジョイント部材２０と上下の植木鉢本体１０との嵌合状態も同様となる。
【００２１】
また、図１〜図４に戻り、第１の植木鉢１ａから少なくとも第Ｎの植木鉢１ｎは、それら各植木鉢の上部に、育成媒体Ｗに植えられた植物Ｓが外方へ露出又は延び出すことを許容する開口部８０を有する。この開口部８０は育成媒体Ｗを漏洩させない高さ位置において側方へ開口する複数の上部側方開口部８を含ませている。なお、最上位の第Ｎの植木鉢１ｎは、上部側方開口部８を設けても、設けなくとも何れでもよい。なお、最上位の第Ｎの植木鉢１ｎに上部側方開口部８を設けなく、かつ植物Ｓを植えない形態であれば、その植木鉢の上に蓋状のキャップ（図示せず）を載せれば、さらにその上が他の物品の載置個所ともなる。
【００２２】
この上部側方開口部８は、第１の植木鉢１ａから第Ｎの植木鉢１ｎが積み上げられ相互に嵌合された状態で、図４に示すように、育成媒体Ｗに植え込みされる植物Ｓが外方へ露出又は延び出すことを許容する大きさで開口形成される。
【００２３】
この図４に示す観賞形態としては、図４（ａ）は円筒状の第１の植木鉢１ａから第Ｎの植木鉢１ｎを積み上げた状態で、かつ上下相互に円周方向で位相を同じくした状態の上部側方開口部８から、葉を見て楽しむ観葉植物、花を見て楽しむ植物などから選択した色や形態を同じくした植物Ｓを観賞するようにしたものである。また、図４（ｂ）は円筒状の第１の植木鉢１ａから第Ｎの植木鉢１ｎを積み上げた状態で、かつ上下相互に円周方向で位相を同じくした状態の上部側方開口部８から、葉を見て楽しむ観葉植物、花を見て楽しむ植物などから選択した色や形態を同じくした植物Ｓを階層ごとに異ならせて観賞するようにしたものである。
【００２４】
また、図４（ｃ）は円筒状の第１の植木鉢１ａから第Ｎの植木鉢１ｎを積み上げた状態で、かつ上下相互に円周方向で位相を変更した状態の上部側方開口部８から、葉を見て楽しむ観葉植物、花を見て楽しむ植物などから選択した色や形態を同じくした植物Ｓを観賞するようにしたものである。また、図４（ｄ）は円筒状の第１の植木鉢１ａから第Ｎの植木鉢１ｎを積み上げた状態で、かつ上下相互に円周方向で位相を変更した状態の上部側方開口部８から、葉を見て楽しむ観葉植物、花を見て楽しむ植物などから選択した色や形態を同じくした植物Ｓを階層ごとに異ならせて観賞するようにしたものである。なお、上下の植木鉢において、外観色の異なる植木鉢を用いて上下に配すれば複合多段植木鉢１としての色の組み合わせが楽しめることとなる。
【００２５】
また、上部側方開口部８は、図８に示すように、植木鉢本体１０を持って動かす際に、少なくとも取扱者の手の指Ｆで摘んで持てるのに十分な大きさで開口されるように形成することもできる。
【００２６】
上部側方開口部８の具体例としては、植木鉢本体１０の上端面３ａから周壁を下方に切欠くことによって形成している。また、この上部側方開口部８は、図９に示すように、植木鉢本体１０の上端面３ａから下方へ下がった所定位置において周壁を貫通するように孔状に形成することも可能である。
【００２７】
このように構成される複合多段植木鉢１は、第１の植木鉢１ａから第Ｎの植木鉢１ｎが積み上げられ、嵌合部６と被嵌合部７とが相互に嵌合された状態で、上下相互の円周方向における位相が変更可能とされる（ジョイント部材２０が介装されている場合も同様である）。それによって図２に示すように、第１の植木鉢１ａから第Ｎの植木鉢１ｎの複数の上部側方開口部８の相対的な位置関係が変更できることとなる。
【００２８】
また、植木鉢本体１０の上部側方開口部８にアダプタ９を装着することもできる。このアダプタ９は、図１０に示すように、切欠き形成される上部側方開口部８に装着する形態としては、かかる上部側方開口部８におけるＵ字形の開口縁８ａに上方からスライド装着するものであり、少なくとも開口縁８ａが入り込む周溝９ａがＵ字枠状若しくは矩形枠状に形成されるアダプタ本体９ｂの外周に形成されるものである。
【００２９】
そして、このアダプタ９を上部側方開口部８の開口縁８ａにスライド装着することにより、上部側方開口部８の開口の大きさがアダプタ９の内側開口の大きさに変換される。なお、本例のアダプタ９の材質は限定されないも、ゴム部材であれば取扱者の手や、外方へ露出又は延び出す植物Ｓに傷を与えないように保護することも可能となる。
【００３０】
また、図１１に示すように、孔状に形成される上部側方開口部８に嵌め込みして装着されるアダプタ９としては、矩形枠状に形成されるアダプタ本体９ｂの外周に上部側方開口部８における開口縁８ａが入り込みする周溝９ａが形成される。このアダプタ９の場合は、その材質を取扱者の手で変形が容易なゴム部材によって形成することにより、アダプタ９を弾性変形させながら装着できることとなる。このようにゴム部材で形成されるアダプタ９であれば、上記と同様に取扱者の手や、外方へ露出又は延び出す植物Ｓに傷を与えないように保護することも可能となる。
【００３１】
また、アダプタ９は、図１２に示すように、スライド装着する形式であれば、上部側方開口部８を閉鎖して塞ぐように周溝９ａを有するアダプタ本体９ｂを蓋状に形成することも可能である。このように蓋状のアダプタ９であれば、植物Ｓを外方へ露出又は延び出させる必要がなければ、その個所に、このアダプタ９を装着することができ、上部側方開口部８の数を調整できるとともに、開口状態の上部側方開口部８を無くして複合多段植木鉢１としての見栄えを向上させることができる。なお、嵌め込み装着するアダプタ９であっても、材質が変形が容易なゴム部材であれば、蓋状に形成するアダプタ９として適用することは可能である。
【００３２】
また、アダプタ９は、図１３に示すように、植木鉢本体１０の円筒部分の肉厚方向で分割するように形成したアダプタ本体９ｂ１とアダプタ本体９ｂ２とから構成することもできる。このアダプタ本体９ｂ１とアダプタ本体９ｂ２は、その植木鉢本体１０の肉厚方向から上部側方開口部８に装着することが可能となる。この例による他の構成について、上述の他の実施の形態における構成部材と同様であるため省略する。
【００３３】
また、複合多段植木鉢１は、第１の植木鉢１ａから第Ｎの植木鉢１ｎが積み上げられ、嵌合部６と被嵌合部７が相互に嵌合された状態で、上下の植木鉢本体１０が相互に接する個所に低摩擦となる摺動部位Ｓを備えさせることも可能である。
【００３４】
この一例としては、図１４に示すように、嵌合部６としての内壁面３ｂに遊嵌状に嵌り込むものである被嵌合部７としての突条４ｂを用いる場合、下の植木鉢本体１０の上端面３ａと突条４ｂの外側の底部４とが接する状態となる。このように、かかる個所を摺動部位Ｓとするため、植木鉢本体１０の材質にかかわらず、結晶性樹脂であり低摩擦係数材料として知られているＰＴＦＥに代表されるフッ素樹脂、他にポリアミド（ＰＡ）、ポリアセタール（ＰＯＭ）、または超高分子ポリエチレン（ＵＨＭＷＰＥ）などからなるフィルム、シート状の摺動部材Ｓ１を貼り付けたり、同様の材質からなるコーテイング材を吹付けて膜状の摺動部材Ｓ１を形成するようにすることもできる。なお、植木鉢本体１０の材質を他の低摩擦係数材料としてのポリエチレン（ＰＥ）、ポリプロピレン（ＰＰ）、またはポリエチレンテレフタレート（ＰＥＴ）で一体形成することも可能である。なお、摺動部材Ｓ１は、底部４と上端面３ａに設けているも、かかる構造には限定されず、底部４若しくは上端面３ａの何れか一方に貼り付け、他方の底部４若しくは上端面３ａを摺動するように設けることも可能である。
【００３５】
また、第１の植木鉢１ａから第Ｎの植木鉢１ｎが積み上げられた状態で横方向の位置ズレを規制する嵌合部６と被嵌合部７の他の例としては、図１５に示すように、下側に位置する植木鉢本体１０の上側開口部３の上端面３ａを摺動部位Ｓとして残存させるように、この上端面３ａを有する周壁には、外側に向かいさらに上方に指向する断面Ｌ型のフランジ部６ａが形成される。そして、上側の植木鉢本体１０の突条４ｂの外側における底部４が上側開口部３の上端面３ａに接するように嵌合される。
【００３６】
なお、本例では突条４ｂを設けなくても本来の横ズレ防止機能に影響を与えない。要するに、この嵌合部６と被嵌合部７とは、第１の植木鉢１ａから第Ｎの植木鉢１ｎの積み上げ方向（上下方向）において、凹状個所と凸状個所とによる嵌合状態が得られ、かつ上下方向の摺動部位Ｓが備わるものであれば本例に限定されない。
【００３７】
また、図１６に示すように、植木鉢本体１０の底部４は一体形成するものでなくてもよく、例えば、円筒状に形成した植木鉢本体１０の底部４に、別体形成する円板状の底板４ｃを載せるようにして第１の植木鉢１ａから第Ｎの植木鉢１ｎを構成することもできる。また、この底板４ｃには、保水性を有するマットＭを敷くようにすることもできる。マットＭは、例えば、天然繊維、アクリル繊維等の樹脂を多孔質にするか、スポンジを使用してもよい。
【００３８】
また、植木鉢本体１０の形状については、円筒状に限られることなく、図１７に示す四角筒状、図１８に示す六角筒状などの多角筒形状で形成することも可能である。この例による周方向の位相の変更も可能であり、四角筒状の植木鉢本体１０の場合は、図１７に示すように、下側の四角筒状の嵌合部６に対して上側の被嵌合部７の突条４ｂを平面視略八角状となし、上下相互の円周方向における位相を本例では所定角度（図１７（ｂ）では４５度）変更させた状態でも第１の植木鉢１ａから第Ｎの植木鉢１ｎの積み上げを可能にしている。この例においては、上述の開口部８０としては図１７（ｂ）に示すように上側の上部側方開口部８と位相が同じ下側に位置することとなる。
【００３９】
また、図１８に示す六角筒などの多角筒形状で形成する場合も、下側の六角筒状の嵌合部６に対して上側の被嵌合部７の突条４ｂを平面視略十二角状となし、上下相互の円周方向における位相を本例では所定角度（図１８（ｂ）では３０度）変更させた状態でも第１の植木鉢１ａから第Ｎの植木鉢１ｎの積み上げを可能にしている。
【００４０】
また、植木鉢本体１０の形状が四角筒状に形成する場合の他の例としては、図１９に示すように、外形輪郭が四角状に形成され、内側の空間５を円筒状に形成し、この円筒状に形成される上端面３ａの内壁面３ｂからなる嵌合部６に対応させるように、底部４に設ける被嵌合部７としての突条４ｂの平面視形状を円環状に形成することによって、円筒状に形成される形態の植木鉢本体１０からなるものと同様な連続位相変形可能な機能を備えさせることができるものとなる。なお、この例による円筒状の内側の空間を、円環状の突条４ｂの外周が内接するようにその平面視形状を四角状（一点鎖線Ｌ１で示す）に形成して周方向への連続位相変形機能を備えさせることも可能である。
【００４１】
また、植木鉢本体１０の形状が六角筒状に形成する場合の他の例としては、図２０に示すように、外形輪郭が六角状に形成され、内側の空間５を円筒状に形成し、この円筒状に形成される上端面３ａの内壁面３ｂからなる嵌合部６に対応させるように、底部４に設ける被嵌合部７としての突条４ｂの平面視形状を円環状に形成することによって、円筒状に形成される形態の植木鉢本体１０と同様な機能を備えさせることができるものとなる。なお、この例による円筒状の内側の空間を、円環状の突条４ｂの外周が内接するようにその平面視形状を六角状（一点鎖線Ｌ２で示す）に形成して周方向への同様な機能を備えさせることも可能である。
【００４２】
また、植木鉢本体１０の上部側方開口部８の変形例としては、図２１に示すように、斜め上方若しくは真上に開口するように、植木鉢本体１０の円筒部から外方に袋状に膨出形成させる膨出部１０ａを一体形成することも可能である。なお、膨出部１０ａをアダプタ９と同様に別体形成して、上述の上部側方開口部８に装着させることも可能である。
【００４３】
また、複合多段植木鉢１を構成する植木鉢の他の例として、未使用時の保管や、輸送形態の省スペース化を可能したものとしては、図２２に示すように、植木鉢本体１０をテーパ円筒状又はテーパ多角筒状に形成することによって対応するものである。また、底部４は植木鉢本体１０と別体形成される。この底部４は円板状に形成され、植木鉢本体１０の上端面３ａに近接する内壁面３ｂと嵌合される突条４ｂ１と、下端面３ｃに近接する内壁面３ｂと嵌合される突条４ｂ１と、排水孔４ａが形成されている。
【００４４】
この例による植木鉢本体１０は、図２２（ｂ）に示すように、植木鉢本体１０は相互に上下に積み重ねることができ、また、底部４についても、図２２（ｂ）に示すように、上下に積み重ねることが可能となり、省スペース化に有益となる。
【００４５】
また、複合多段植木鉢１を構成する植木鉢の他の例として、未使用時の保管や、輸送形態の省スペース化を可能したものとしては、図２３に示すように、上下に重ねる植木鉢本体１０は円筒状又は多角筒状に形成され、その内外径を、下方の植木鉢本体１０の内方に上方の植木鉢本体１０が収納されるように設定して対応するものである。また、底部４は植木鉢本体１０と別体形成される。この底部４は円板状に形成され、植木鉢本体１０の上端面３ａに近接する内壁面３ｂと嵌合される突条４ｂ１と、下端面３ｃに近接する内壁面３ｂと嵌合される突条４ｂ１と、排水孔４ａが形成されている。
【００４６】
この例による植木鉢本体１０は、図２３（ｂ）に示すように、大径な植木鉢本体１０内に小径な植木鉢本体１０を収容でき、また、底部４についても、図２３（ｂ）に示すように、上下に積み重ねることが可能となり、省スペース化に有益となる。
【００４７】
また、複合多段植木鉢１を構成する植木鉢の他の例として、未使用時の保管や、輸送形態の省スペース化を可能したものとしては、図２４に示すように、上下に重ねる植木鉢本体１０は円筒状又は多角筒状に形成され、その内外径を、一つの植木鉢本体１０の内方に一つの植木鉢本体１０が収納されるように設定して対応するものである。また、底部４は植木鉢本体１０と別体形成される。この底部４は円板状に形成され、植木鉢本体１０の上端面３ａに近接する内壁面３ｂと嵌合される突条４ｂ１と、下端面３ｃに近接する内壁面３ｂと嵌合される突条４ｂ１と、排水孔４ａが形成されている。
【００４８】
この例による植木鉢本体１０は、図２４（ｂ）に示すように、大径な植木鉢本体１０内に小径な植木鉢本体１０を収容でき、また、底部４についても、図２４（ｂ）に示すように、上下に積み重ねることが可能となり、省スペース化に有益となる。
【００４９】
なお、このような観賞形態としては、上述の円筒状以外の四角筒状、六角筒状に形成された複合多段植木鉢１や、図示していない他の多角（八角、十二角など）筒状に形成する複合多段植木鉢１にも適応可能であり、その観賞形態数も数限りないため本実施の形態の説明ではその一部を説明するものである。
【００５０】
以上、本発明の実施の形態に付き述べたが、本発明は上記の実施の形態に限定されることなく、本発明の技術的思想に基づいて各種の変更が可能であり、各々の実施の形態は、本発明の説明のために一つ実施の形態の部分として述べられている構成を、別の実施の形態において利用し、さらに別の実施の形態とすることができる。
【符号の説明】
【００５１】
１          複合多段植木鉢
１ａ        第１の植木鉢
１ｎ        第Ｎの植木鉢
３          上部開口部
３ａ        上端面
４          底部
４ｂ        突条
５          空間
６          嵌合部
７          被嵌合部
８          上部側方開口部
９          アダプタ
１０        植木鉢本体
８０        開口部
【図１】
2012005386.tif 000003
【図２】
2012005386.tif 000004
【図３】
2012005386.tif 000005
【図４】
2012005386.tif 000006
【図５】
2012005386.tif 000007
【図６】
2012005386.tif 000008
【図７】
2012005386.tif 000009
【図８】
2012005386.tif 000010
【図９】
2012005386.tif 000011
【図１０】
2012005386.tif 000012
【図１１】
2012005386.tif 000013
【図１２】
2012005386.tif 000014
【図１３】
2012005386.tif 000015
【図１４】
2012005386.tif 000016
【図１５】
2012005386.tif 000017
【図１６】
2012005386.tif 000018
【図１７】
2012005386.tif 000019
【図１８】
2012005386.tif 000020
【図１９】
2012005386.tif 000021
【図２０】
2012005386.tif 000022
【図２１】
2012005386.tif 000023
【図２２】
2012005386.tif 000024
【図２３】
2012005386.tif 000025
【図２４】
2012005386.tif 000026